(57)【要約】      （修正有）【課題】組み立てと分解が容易な構造体製造の部材を提供する。【解決手段】六面体の少なくとも一部が、三面以上にわたって合計五個以上のだぼ孔１１，１２，２１，２２，３１，３２を有しているブロック、好ましくは六面体であることを特徴とする、だぼ孔を有するブロックをだぼで接合した組立と分解が容易な各種の構造体。【選択図】図１
2017006606.tif 000002
【特許請求の範囲】
【請求項１】
三面以上にわたって合計五個以上のだぼ孔を有しているブロック。
【請求項２】
三面以上にわたって合計五個以上のだぼ孔を有している六面体。
【請求項３】
切断面が台形を為す六面体であって、台形斜面上のだぼ孔が斜面に対して垂直に開けられて居ることを特徴とする請求項１に記載の六面体。
【請求項４】
だぼ孔を有している木材ブロックとだぼから構成されてなる構造体の組み立て用部材であって、該だぼ孔を有している木材ブロックの少なくとも一部が、三面以上にわたって合計五個以上のだぼ孔を有している請求項１、２あるいは３に記載される六面体であることを特徴とする構造体組み立て用部材。
【請求項５】
だぼ孔を有しているレンガあるいはセメントブロックとだぼから構成されてなる構造体組み立て用部材であって、該だぼ孔を有しているレンガあるいはセメントブロックの少なくとも一部が、三面以上にわたって合計五個以上のだぼ孔を有している請求項１、２あるいは３に記載される六面体であることを特徴とする構造体組み立て用部材。
【請求項６】
だぼ孔を有しているブロックとだぼから構成されてなる積み木遊び玩具用部材であって、該だぼ孔を有しているブロックの少なくとも一部が、三面以上にわたって合計五個以上のだぼ孔を有している請求項１、２あるいは３に記載される六面体であることを特徴とする積み木遊び用玩具部材。
【発明の詳細な説明】
【技術分野】
【０００１】  本発明は、組み立てと分解が容易な構造体を提供することができる構成部材に関するものである。
【背景技術】
【０００２】  組み立てと分解が容易な構造体部材としては「レゴブロック」がよく知られている。この「レゴブロック」は凹凸を有するブロック部材をかみ合わせて所定の構造体を形成するものであり、一般的にプラスチック成型品であり、主として玩具として使用されている。
当初、この「レゴブロック」は当初、木製品の玩具として登場したが、形状が複雑であることと目的とする玩具の構造が多様化したことから、多量需要を背景として、プラスチック成型品へと、変化していったものである。【０００３】  ところで、この「レゴブロック」は木製品としては形状が複雑で、大型構造体を目的とする部材としては適用が難しく、またレンガあるいはセメントブロックなどその他の構造体用部材への適用は難しかった。
【発明が解決しようとする課題】
【０００４】  本発明は、木さらにはレンガ、セメントブロックなどを材料として、組み立てと分解が容易な大型も含む各種構造体を製造するための部材を提供するものである。
【発明の開示】
【０００５】  孔状凹部を有するブロックを該凹部への挿入が可能な簡単な接合具でつなぐことで、組み立てと分解が容易な構造体を得ることができ、本発明はその部材ブロックを提供するものである。
【課題を解決するための手段】
【０００６】  本発明の構造体用部材はだぼ孔を有しているブロックであり、これらをだぼで接合して、各種三次元の構造体を得ることができるが、これらブロックの少なくとも一部が、三面以上にわたって合計五個以上のだぼ孔を有しているブロック、好ましくは六面体であることを特徴とするものである。また、この六面体の一部は切断面が台形を為す六面体であってもよく、この場合は、台形斜面上のだぼ孔が斜面に対して垂直に開けられて居ることを特徴として、これらは構造体の天井、あるいは屋根部を形成するために有効に使用される。
だぼ孔を有している木材ブロックをだぼで接合して、木製の構造体を作製する場合、本発明は該だぼ孔を有している木材ブロックの少なくとも一部が、三面以上にわたって合計五個以上のだぼ孔を有しているブロック好ましくは六面体であることを特徴とするものである。
また、レンガあるいはセメント構造体を目的とする場合は、だぼ孔を有しているレンガあるいはセメントブロックとだぼから構成されてなる構造体組み立て用部材が使用され、該だぼ孔を有しているレンガあるいはセメントブロックの少なくとも一部が、三面以上にわたって合計五個以上のだぼ孔を有しているブロック好ましくは六面体が使用されるものである。さらに、だぼ孔を有しているブロックとだぼから構成されてなる積み木遊び用玩具部材の場合、該だぼ孔を有しているブロックの少なくとも一部が、三面以上にわたって合計五個以上のだぼ孔を有しているブロック好ましくは六面体が使用されるものである。
だぼ孔を有しているブロックの接合には、だぼが使用されるが、このだぼとは従来、材木や石材を重ねて使用する際にずれが生じないために使用されるアンカーの呼称であり、また、あるいは本棚等で棚の高さを自在に調整するために使われてきたものであるが、本発明では、所定の構造体を構成する各ブロックの三次元接合に使用されるものとなる。
だぼの形状は各ブロックのだぼ孔に好ましくはゆるみなく挿入できるものであれば、自在であるが、通常は丸棒状であり、木材、金属、プラスチックなどの材料が適宜、使用される。これらだぼの使用に際しては必要に応じて、だぼ孔を貫通する鉄線や接着剤あるいは充填剤を併用することができる。
【発明の効果】
【０００７】  本発明の、三面以上にわたって合計五個以上のだぼ孔を有しているブロック好ましくは六面体を含むブロックと対応だぼを組み合わせることにより、各種構造体を容易に製造できる。
【図面の簡単な説明】
【０００８】
【図１】  本発明六面体例の断面図
【図２】  本発明の接合に使用される各種だぼの概念図
【図３】  本発明の台形六面体の断面図（その１）
【図４】  本発明の台形六面体の断面図（その２）
【符号の説明】
【０００９】１  六面体上部だぼ孔開口部
２  六面体正面だぼ孔開口部
３  六面体側面だぼ孔開口部
４  台形六面体側斜面だぼ孔開口部
５  台形六面体裏側斜面だぼ孔開口部
６  台形六面体表斜面だぼ孔開口部
７  台形六面体裏斜面だぼ孔開口部
８  台形六面体側面だぼ孔開口部【００１０】Ａ  上面図
Ｂ  正面図
Ｃ  側面図
Ｄ  丸棒だぼ概念図
Ｅ  先端が丸い丸棒だぼ概念図
Ｆ  表面にギア状突起を入れた丸棒だぼ概念図
Ｇ  表面にギア状突起を入れた先端が丸い丸棒だぼ概念図【００１１】１１  六面体上部だぼ孔
１２  六面体下部だぼ孔
２１  六面体正面だぼ孔
２２  六面体裏面だぼ孔
３１  六面体側面だぼ孔
３２  六面体裏側面だぼ孔
４１  台形六面体右側斜面だぼ孔
５１  台形六面体左側斜面だぼ孔
６１  台形六面体表面斜面だぼ孔
７１  台形六面体裏面斜面だぼ孔
８１  台形六面体右側面だぼ孔
９１  台形六面体左側面だぼ孔
【発明を実施するための形態】
【００１２】  本発明の具体的詳細を、図面を用いて述べる。図１は本発明六面体例のひとつの概念図であり、その断面図を示している。Ａは上面図、Ｂは正面図、Ｃは側面図である。
本六面体は六面すべてにわたって、合計十個のだぼ孔を有しているものを示しているが、これら十個のだぼ孔は必須のものではなく、必要に応じて開けられるものであり、本発明では少なくとも一個の六面体が三面以上にわたって、合計五個以上のだぼ孔を有しているものであればよい。またこれらのだぼ孔は上下、左右、表裏が貫通している場合があってもよく、これらはだぼ孔を貫通する長軸のだぼで接合することができる。
六面体の大きさは限定されるものではなく、所定の構造体の大きさに応じて選択されるものである。また六面体の材料も限定されるものではなく、木材、粘土、レンガ、セメント、金属、石材さらにはプラスチックあるいは樹脂から選ばれてよい。図１の１は六面体の上部だぼ孔開口部であり、２は正面だぼ孔開口部、３は側面開口部である。開口部の形状は限定されるものではないが、円形が好ましく、その直径は目的とする構造体の大きさに応じて任意であるが、３〜５０ｍｍ、好ましくは５〜３０ｍｍである。
【００１３】  図１の１１は上部だぼ孔、１２は下部だぼ孔、２１は正面だぼ孔、２２は裏面だぼ孔、３１は右側面だぼ孔、３２は左側面だぼ孔である。これらだぼ孔の形状や深さは限定されるものではないが、円形が好ましく、深度は５〜１００ｍｍ、好ましくは１０〜５０ｍｍであるが、上下、左右、表裏のだぼ孔が貫通していてもよい。だぼ孔の直径は目的とする構造体の大きさに応じて任意であるが、３〜５０ｍｍ、好ましくは５〜３０ｍｍである。
【００１４】  図２は本発明のだぼ孔を有する六面体を接合するためのだぼの概念図である。だぼの形状や大きさは限定されるものではなく、だぼを貫通する長軸の丸棒、例えば鉄線が使用されてもよいが、だぼ孔にほぼぴったりと挿入できるものが好ましく使用され、図２のＤに示されるような丸棒が好ましく、Ｅに示されるような先端が丸い丸棒も好ましく使用される。また、Ｆ、Ｇのごとく表層にギア目の突起が形成されたものも好ましく使用できる。だぼの長さは５〜１００ｍｍ、好ましくは１０〜５０ｍｍである。だぼの直径は目的とする構造体の大きさに応じて任意であるが、３〜５０ｍｍ、好ましくは５〜３０ｍｍである。まただぼの材料は限定されるものではなく、木材、粘土、レンガ、セメント、金属、石材さらにはプラスチックあるいは樹脂から選ばれてよい。
【００１５】  図３は本発明のだぼ孔を有する六面体の１切断面が台形を為す六面体の概念図を示している。本六面体は六面の四面にわたって、合計六個のだぼ孔を有しているものを示しているが、これら六個のだぼ孔は必須のものではなく、必要に応じて開けられるものであり、本発明では少なくとも一個の六面体が三面以上にわたって、合計五個以上のだぼ孔を有しているものであればよい。本概念図では台形斜面上にだぼ孔を有する六面体を示しているが、本形状の六面体ではこのように台形斜面上にだぼ孔を有しているものが、所定構造体の強度を保つために好ましく使用されるが、この斜面上のだぼ孔は斜面に対して垂直に設けられることが好ましい。
この六面体の大きさも限定されるものではなく、所定の構造体の大きさに応じて選択されるものである。また六面体の材料も限定されるものではなく、木材、粘土、レンガ、セメント、金属、石材さらにはプラスチックあるいは樹脂から選ばれてよい。
【００１６】  図４も本発明のだぼ孔を有する六面体の１切断面が台形を為す六面体の概念図を示していて、図３の場合と異なるケースである。本六面体は六面の四面にわたって、合計六個のだぼ孔を有しているものを示しているが、これら六個のだぼ孔は必須のものではなく、必要に応じて開けられるものであり、本発明では少なくとも一個の六面体が三面以上にわたって、合計五個以上のだぼ孔を有しているものであればよい。本概念図では台形斜面上に四個のだぼ孔を有する六面体を示しているが、本形状の六面体ではこのように台形斜面上にだぼ孔を有しているものが、所定構造体の強度を保つために好ましく使用されるが、この斜面上のだぼ孔は斜面に対して垂直に設けられることが好ましい。
この六面体の大きさも限定されるものではなく、所定の構造体の大きさに応じて選択されるものである。また六面体の材料も限定されるものではなく、木材、粘土、レンガ、セメント、金属、石材さらにはプラスチックあるいは樹脂から選ばれてよい。
【００１７】  本発明のだぼ孔を有する六面体の製造方法は限定されるものでは無く、だぼ孔は六面体ブロック成型後にドリル切削で開けられてもよいし、だぼ孔を有する六面体ブロックを直接に製造してもよい。
【図１】
2017006606.tif 000003
【図２】
2017006606.tif 000004
【図３】
2017006606.tif 000005
【図４】
2017006606.tif 000006